(57)【要約】【課題】筆記状態と収容状態との切り換えを、筆記具を筆記状態に握持している手を動かしたり、筆記具を実質的にもちかえることなく、簡単に行うことができる筆記具を提供する。【解決手段】前端７ａが開口７ｂし、内部に筆記用芯が収容された軸筒７の後端８ａに突設されたノック部８を前方に押圧することにより、筆記用芯の前端が軸筒７の前記開口７ｂから出没するようにしたノック式筆記体２において、前記軸筒７の後端に引手部４を取り付けるとともに、この後端を軸筒ケース３をもって被冠し、この軸筒ケース３の後端内面１０ａを前記ノック部８の後端８ａに当接させ、かつ軸筒ケース３の側面に設けた前後方向の長孔１１から、前記引手部４を露出させて、前記長孔１１内で摺動させ得るようにし、引手部４に対し、軸筒ケース３を前後方向に動かすことによって、前記筆記用芯の前端６ａを、軸筒の開口７ｂから出没させるようにする。【選択図】　　　　図３
2004082358.tif 000002
【特許請求の範囲】
【請求項１】
前端が開口し、内部に筆記用芯が収容された軸筒の後端に突設されたノック部を前方に押圧することにより、筆記用芯の前端が、軸筒の前記開口から出没するようにしたノック式筆記体において、前記軸筒の後端に引手部を取り付けるとともに、この後端を軸筒ケースをもって被冠し、この軸筒ケースの後端内面を前記ノック部の後端に当接させ、かつ軸筒ケースの側面に設けた前後方向の長孔から、前記引手部を露出させ、前記長孔内で摺動させ得るようにし、引手部に対し、軸筒ケースを前後方向に動かすことによって、前記筆記用芯の前端を、軸筒の開口から出没させるようにしたことを特徴とする筆記具。
【請求項２】
前記軸筒ケースをもって、軸筒の前端を除く部分を実質的に被冠し、筆記時において、軸筒ケースを握持して使用するようにしたことを特徴とする請求項１記載の筆記具。
【請求項３】
前記軸筒ケースをもって、軸筒の後端部分のみを被冠したことを特徴とする請求項１記載の筆記具。
【請求項４】
前記軸筒ケースを、前端を開口し、後端を閉塞した筒状体とし、前記後端を着脱式のキャップで形成し、開閉自在としたことを特徴とする請求項１〜３のいずれかに記載の筆記具。
【請求項５】
前記軸筒ケースの後端における外周面に、前後方向の第２長孔を設け、ノック部の後端に一体的に取り付けたノック部操作片を、前記第２長孔から外部に露出させたことを特徴とする請求項１〜４のいずれかに記載の筆記具。
【請求項６】
前記引手部における軸筒への取付部を筒状体で形成し、軸筒をその前端から前記筒状体内に嵌挿するとともに、軸筒の後端に設けたクリップにより、前記筒状体を挾持させることによって、軸筒の後端に引手部を取り付けたことを特徴とする請求項１〜５のいずれかに記載の筆記具。
【請求項７】
前記筆記用芯を、ボールペン用のインク収容芯としたことを特徴とする請求項１〜６のいずれかに記載の筆記具。
【請求項８】
前記引手部に紐を取り付け、この紐を首にかけて、軸筒ケースまたは軸筒を手で握持し、手を首から離れる方向に動かすことにより、前記紐を張設状態とし、その張力によって、筆記用芯の前端を、軸筒の開口から出没させるようにしたことを特徴とする請求項１〜７のいずれかに記載の筆記具。
【発明の詳細な説明】
【０００１】
【発明の属する技術分野】
本発明は、筆記具に関し、引手部を引くことにより、筆記状態にすることができる筆記具に関する。
【０００２】
【従来の技術】
ボールペンなどの筆記用芯の前端を、軸筒の前端開口から出没させて、筆記状態と収容状態とに切り換えることができるようにした筆記具としては、軸筒の後端に突設されたノック部を前方に押圧して、前記切り換えを行う形態のものが多用されている。
しかし、前記形態の筆記具は、ノック部の操作を行う際には、筆記具を筆記状態に握持している手を、ノック部を操作し易いように動かして、筆記具をもちかえる必要があった。
そのため、たとえば小売店などにおいて棚卸作業等を行う場合、歩きながら、商品の点検とともに、頻繁にボールペンの筆記状態と収容状態の切り換えを行うことは、極めて煩雑であった。
【０００３】
【発明が解決しようとする課題】
本発明は、前記現状に鑑み、筆記状態と収容状態を切り換える動作を、筆記具を筆記状態に握持している手を動かさずに、筆記具を実質的にもちかえることなく、簡単に行うことができるようにした筆記具を提供することを目的とする。
【０００４】
【課題を解決するための手段】
本発明によると、上記課題は、次のようにして解決される。
（１）　前端が開口し、内部に筆記用芯が収容された軸筒の後端に突設されたノック部を前方に押圧することにより、筆記用芯の前端が、軸筒の前記開口から出没するようにしたノック式筆記体において、前記軸筒の後端に引手部を取り付けるとともに、この後端を軸筒ケースをもって被冠し、この軸筒ケースの後端内面を前記ノック部の後端に当接させ、かつ軸筒ケースの側面に設けた前後方向の長孔から、前記引手部を露出させ、前記長孔内で摺動させ得るようにし、引手部に対し、軸筒ケースを前後方向に動かすことによって、前記筆記用芯の前端を、軸筒の開口から出没させるようにしたことを特徴とする筆記具とする。
【０００５】
（２）　上記（１）項において、前記軸筒ケースをもって、軸筒の前端を除く部分を実質的に被冠し、筆記時において、軸筒ケースを握持して使用するようにする。
【０００６】
（３）　上記（１）項において、前記軸筒ケースをもって、軸筒の後端部分のみを被冠する。
【０００７】
（４）　上記（１）項〜（３）項のいずれかにおいて、前記軸筒ケースを、前端を開口し、後端を閉塞した筒状体とし、前記後端を着脱式のキャップで形成し、開閉自在とする。
【０００８】
（５）　上記（１）項〜（４）項のいずれかにおいて、前記軸筒ケースの後端における外周面に、前後方向の第２長孔を設け、ノック部の後端に一体的に取り付けたノック部操作片を、前記第２長孔から外部に露出させる。
【０００９】
（６）　上記（１）項〜（５）項のいずれかにおいて、前記引手部における軸筒への取付部を筒状体で形成し、軸筒をその前端から前記筒状体内に嵌挿するとともに、軸筒の後端に設けたクリップにより、前記筒状体を挾持させることによって、軸筒の後端に引手部を取り付ける。
【００１０】
（７）　上記（１）項〜（６）項のいずれかにおいて、前記筆記用芯を、ボールペン用のインク収容芯とする。
【００１１】
（８）　上記（１）項〜（７）項のいずれかにおいて、前記引手部に紐を取り付け、この紐を首にかけて、軸筒ケースまたは軸筒を手で握持し、手を首から離れる方向に動かすことにより、前記紐を張設状態とし、その張力によって、筆記用芯の前端を、軸筒の開口から出没させるようにする。
【００１２】
【発明の実施の形態】
図１は、本発明をボールペンに適用した実施形態の斜視図、図２は、図１におけるＩＩ〜ＩＩ線縦断面図、図３は、図１に示すボールペンの分解斜視図である。
【００１３】
本発明の筆記具であるボールペン（１）は、ノック式筆記体（２）と軸筒ケース（３）と引手部（４）とよりなる。
【００１４】
ノック式筆記体（２）は、周知のノック押圧式ボールペンと同じである。すなわち、ノック式筆記体（２）は、前端に開口（７ｂ）を有し、内部に筆記用芯つまりインク収容芯（６）が収容された軸筒（７）の後端に突設されたノック部（８）を前方に押圧することにより、インク収容芯（６）の前端が軸筒（７）の前記開口（７ｂ）から出没し、筆記状態と収容状態の切り換えが行われるようになっている。
【００１５】
前記軸筒（７）の後端には、引手部（４）が取り付けられている。
引手部（４）は、筒状の取付部（４ａ）の外側面に、前向コ字状の枠状取手（４ｂ）の前端に設けた内向片（４ｃ）（４ｃ）を固着して形成されている。
【００１６】
前記筒状の取付部（４ａ）を、軸筒（７）の後端に嵌着することにより、引手部（４）を軸筒（７）の後端より延出させてある。
【００１７】
軸筒ケース（３）は、前端が開口（５）する筒体（９）の後端に、着脱式のキャップ（１０）を被せて形成されている。
【００１８】
前記筒体（９）の長さは、軸筒（７）の前端（７ａ）を除く部分を実質的に被包し得るような程度にしてある。
【００１９】
筒体（９）の後端部には、前後方向の突条（９ａ）が設けられ、突条（９ａ）には、前後方向の長孔（１１）が設けられている。
【００２０】
キャップ（１０）を取り外して、引手部（４）を取り付けたノック式筆記体（２）を、軸筒ケース（３）の後端から挿入して、前記引手部（４）における枠状取手（４ｂ）を、前記長孔（１１）から外部に露出させて装着し、次いでキャップ（１０）を取り付けて、ノック式筆記体（２）におけるノック部（８）の後端（８ａ）に、キャップ（１０）の内面（１０ａ）が当接するようにして、軸筒ケース（３）を、ノック式筆記体（２）における軸筒（７）に嵌合させてある。
【００２１】
図４は、筆記状態と収容状態とに切り換える際の動作図である。
【００２２】
図４（ａ）は、インク収容芯（６）が軸筒（７）内に収容されている状態を示す。図４（ｂ）は、前記の収容状態から、インク収容芯（６）の前端（６ａ）を、軸筒（７）の前端開口（７ｂ）から突出させて筆記状態に切り換える途中を示す。すなわち、軸筒ケース（３）に対して、引手部（４）を後方に引張ることにより、引手部（４）は、軸筒ケース（３）における長孔（１１）内を後方に摺動し、同時に、引手部（４）と一体となっている軸筒（７）は後方に移動する。この軸筒（７）の後方への移動にともなって、ノック部（８）の後端（８ａ）が、キャップ（１０）の内面（１０ａ）によって前方に押圧される。
【００２３】
ノック部（８）の押圧によって、インク収容芯（６）の前端（６ａ）は、軸筒（７）の前端開口（７ｂ）から突出する（図４（ｃ））。
【００２４】
次いで、ノック式筆記具において従来使用されている周知のノック機構、たとえばカール氏の発明によるロータリノック機構（特公昭３４−７１８１号公報）により、インク収容芯（６）の前後位置は安定的にロックされ、図４（ｃ）に示す筆記状態になる。
【００２５】
この筆記状態においては、ノック部（８）は、収容状態を示す図４（ａ）の場合に、対比して、前方へ移動し、後方への突出長さは短かい。そのため、引手部（４）は、軸筒（７）における長孔（１１）内を摺動し得る状態にある。
【００２６】
図４（ｃ）に示す筆記状態から、再び収容状態に戻すには、引手部（４）を、軸筒ケース（３）に対して、後方に引張る。この引張りによって、ノック部（８）の後端（８ａ）は、キャップ（１０）の内面（１０ａ）によって前方に押圧され、前記周知のノック機構の作用によって、インク収容芯（６）を筆記状態に保持するロックが解除され、インク収容芯（６）は軸筒（７）内に収容されて、図４（ａ）に示す状態に戻る。
【００２７】
引手部（４）を、軸筒ケース（３）に対して、後方に引張るには、たとえば、引手部（４）に紐（４ｄ）を取り付け、この紐（４ｄ）を首にかけて、軸筒ケース（３）または軸筒（７）を握持し、手を首から離れる方向に動かすことにより、前記紐（４ｃ）は張設状態となり、その張力によって、引手部（４）を軸筒ケース（３）に対して、容易に引張ることができる。
【００２８】
図５は、本発明の筆記具の別の実施形態を示す斜視図であり、図６は、その分解斜視図である。
【００２９】
本実施形態におけるボールペン（１２）は、図１〜図４に示した実施形態が有する機能に加えて、引手部（１３）を用いずに、軸筒ケース（１４）から外部に露出しているノック部操作片（１５）を用いても、筆記状態と収容状態との切り換えをなし得るようにしたものでる。
【００３０】
軸筒ケース（１４）の後端における外周面を、後端から切欠いて、第２長孔（１６）を設け、ノック部（１７）の後端に一体的に取り付けたノック部操作片（１５）を、前記第２長孔（１６）から外部に露出させてある。
【００３１】
このノック部操作片（１５）を用いてノック部（１７）を前方に移動させることによっても、筆記状態と収容状態の切り換えを行うことができる。
【００３２】
符号（１８）、（１９）、（２０）、（２１）は、それぞれ軸筒、インク収容芯、キャップ、長孔を示す。
【００３３】
図７は、本発明のさらに別の実施形態を示す分解斜視図である。
【００３４】
本実施形態におけるボールペン（２２）は、軸筒（２３）の後端への引手部（２４）の取り付けを、軸筒（２３）の後端に設けられたクリップ（２４）を用いて簡単に行うようにしたものである。
【００３５】
すなわち、引手部（２５）における筒状の取付部（２５ａ）内に、軸筒（２３）を、その前端（２３ａ）から嵌挿するとともに、軸筒（２３）の後端に設けたクリップ（２４）によって、前記筒状の取付部（２５ａ）を挾持することにより、引手部（２５）を軸筒（２３）に簡単に取り付けることができる。
【００３６】
符号（２５ｂ）（２６）は、それぞれ枠状取手、キャップを示す。
【００３７】
図８は、本発明のさらに別の実施形態を示す斜視図である。
【００３８】
本実施形態におけるボールペン（２６）は、軸筒（２７）の後端部分のみが、軸筒ケース（２８）によって被冠されている。筆記時においては、軸筒ケース（２８）の前端（２８ａ）から軸筒（２７）に亘って握持して使用し、収容状態に切り換える際、または収容状態から筆記状態に切り換えるには、親指以外の指を、筆記時の状態のままにして、親指だけを、多少動かし、人差指の付根と親指をもって、軸筒ケース（２８）の前端（２８ａ）を挾持し、筆記状態に握持している手をさほど動かすことなく、引手部（２９）を軸筒ケース（２８）に対して後方に引張り、切り換えを行うことができる。
【００３９】
【発明の効果】
本発明によれば、次のような効果が奏せられる。
（１）　請求項１記載の発明によれば、筆記状態と収容状態を切り換える動作を、筆記具を筆記状態に握持している手を動したり、筆記具を実質的にもちかえたりすることなく、簡単に行こなうことができる。
そのため、たとえば、引手部に紐を取り付け、この紐を首にかけて、軸筒ケースまたは軸筒を、筆記時に握持しているそのままの状態で、単に首から離れる方向に動かすだけで、前記紐を張設状態とし、その張力によって、引手部を後方へ引張り、容易に筆記状態と収容状態との切り換えを行うことができる。
従って、小売店などにおける棚卸作業等を行う場合に、歩きながら、商品の点検とともに、頻繁にボールペンの筆記状態と収容状態の切り換えを行う際に、極めて便利である。
【００４０】
（２）　請求項２記載の発明によれば、筆記時に、軸筒ケースを握持している手を動かしたり、筆記具をもちかえたりすることなく、容易にボールペンの筆記状態と収容状態の切り換えを行うことができる。
【００４１】
（３）　請求項３記載の発明によれば、上記（２）項に記載した効果に準ずる効果が奏せられる。
【００４２】
（４）　請求項４記載の発明によれば、引手部が後端に取り付けられたノック式筆記体を、キャップを取り外した軸筒ケースの後端から嵌挿して、軸筒ケースを、ノック式筆記体における軸筒に容易に嵌合させることができる。
【００４３】
（５）　請求項５記載の発明によれば、筆記状態と収容状態との切り換えを、引手部を用いずに、ノック部操作片を用いて行うこともできる。
【００４４】
（６）　請求項６記載の発明によれば、引手部をノック式筆記体における軸筒の後端に、簡単に取り付けることができる。
【００４５】
（７）　請求項７記載の発明によれば、ボールペンにおいて本発明の効果が有効に発揮される。
【００４６】
（８）　請求項８記載の発明によれば、手をさほど動かすことなく、筆記用芯を、筆記状態と収容状態とに簡単に切り換えることができ、本発明の効果が、より有効に発揮される。
【図面の簡単な説明】
【図１】本発明をボールペンに適用した実施形態の斜視図である。
【図２】図１におけるＩＩ−ＩＩ線縦断面図である。
【図３】図１に示すボールペンの分解斜視図である。
【図４】筆記状態と収容状態に切り換える際の動作図である。
【図５】本発明の別の実施形態を示す斜視図である。
【図６】図５に示す実施形態の分解斜視図である。
【図７】本発明のさらに別の実施形態を示す分解斜視図である。
【図８】本発明のさらに別の実施形態を示す斜視図である。
【符号の説明】
（１）ボールペン
（２）ノック式筆記体
（３）軸筒ケース
（４）引手部
（４ａ）取付部
（４ｂ）枠状取手
（４ｃ）内向片
（４ｄ）紐
（５）開口
（６）インク収容芯
（６ａ）前端
（７）軸筒
（７ａ）前端
（７ｂ）開口
（８）ノック部
（８ａ）後端
（９）筒体
（１０）キャップ
（１０ａ）内面
（１１）長孔
（１２）ボールペン
（１３）引手部
（１４）軸筒ケース
（１５）ノック部操作片
（１６）第２長孔
（１７）ノック部
（１８）軸筒
（１９）インク収容芯
（２０）キャップ
（２１）長孔
（２２）ボールペン
（２３）軸筒
（２４）クリップ
（２５）引手部
（２５ａ）取付部
（２５ｂ）枠状取手
（２６）ボールペン
（２７）軸筒
（２８）軸筒ケース
（２８ａ）前端
（２９）引手部
【図１】
2004082358.tif 000003
【図２】
2004082358.tif 000004
【図３】
2004082358.tif 000005
【図４】
2004082358.tif 000006
【図５】
2004082358.tif 000007
【図６】
2004082358.tif 000008
【図７】
2004082358.tif 000009
【図８】
2004082358.tif 000010